(57)【要約】      （修正有）【課題】安定して腰掛けられる背当てを設けながらも、機能的に組み立てが容易な折りたたみ型の長椅子を提供する。【解決手段】座板２の長手方向の長さと同じ間隔に軸支柱９付き基板７二枚を位置した前記軸支柱９側下部を支軸棒で、その上中ほどを、基板７と同じ高さに基軸棒で連結した左右の基板７の軸支柱９に背板１２を取り付けた背枠体３を形成し、その背枠体３の前記基軸棒に、係止縁付き座板２をバネ丁番で連結するとともに、背枠板３の左右に収まる長さで形成する外枠脚に、同じ形状の内枠脚をＸ状に組み合わせて軸ボルト５で可動連結して成る脚体６を形成し、その脚体６の下部外枠脚と内枠脚の支持棒１５二本を、複数本の張綱１９で繋いだ前記内枠脚下部と基板７下部を軸ボルトで可動軸止して成る長椅子１とする。【選択図】図１
0003160015.tif 000002
【実用新案登録請求の範囲】
【請求項１】
折りたたみできる長椅子であって、所定の大きさの座板の長手方向の長さと同じ間隔に軸支柱付き基板二枚を位置し、その基板の軸支柱側下部を所定の長さの支軸棒と、その上中ほどを、前記基板と同じ高さに基軸棒で連結して成る前記する左右の基板の軸支柱に背板を取り付けた背枠体を形成し、その背枠体の前記基軸棒に、裏面前端部に係止縁を設けた座板をバネ丁番で連結するとともに、かつ前記する背枠板の左右に収まる長さの支持棒二本と三本の軸棒とで形成する外枠脚に、その外枠脚の軸棒と同じ高さで形成した内枠脚をＸ状に組み合わせた交差部を軸ボルトで可動連結して成る脚体を形成し、その脚体下部に位置して対向する外枠脚と内枠脚の支持棒二本を、複数本の張綱で繋いで成る前記内枠脚下部と前記基板下部を軸ボルトで可動軸止して成る構成を特徴とする折りたたみ型長椅子。
【請求項２】
前記する背枠体の支軸棒と基軸棒と背板に、複数本の支柱を取り付けて成る請求項１に記載する折りたたみ型長椅子。
【請求項３】
前記する二枚の基板の内側上部に、外枠脚のストッパーを取り付けて成る請求項１又は請求項２に記載する折りたたみ型長椅子。
【考案の詳細な説明】
【技術分野】
【０００１】  本考案は、３〜４人が安定して腰掛けられる丈夫な長椅子でありながら機能的に折りたため、かつ運搬も容易な長椅子に関する。
【背景技術】
【０００２】  従来より、背板が付いた長椅子は公園に設置したり、大勢の人が集まる会場などに置いて大人が３〜４人が腰掛けられる長椅子として提供されている。【０００３】  また、腰掛部と背当部と脚部、収納棚から成る四つの部材で構成されて、背当て部と脚部とを腰掛け部に密着するように倒せる長椅子の技術がある。（例えば、特許文献１参照）
【先行技術文献】
【特許文献１】実用新案登録第３１４６９６８号公報
【考案の概要】
【考案が解決しようとする課題】
【０００４】  従来、公園などに設置されたり、会場などに置いて使用される一般的な長椅子は、安定する背当て板が設けられたタイプが多いが、構造的に折りたたみできるタイプはほとんどないし、また簡易な物で折りたたみはあるが、その場合は背当てが無いタイプが多いので安定して腰掛けられないなどの不便や欠点がある。【０００５】  また実用新案登録第３１４６９６８号公報に開示される長椅子の技術は、複数枚の板で成る腰掛部と背当部及び脚部、収納棚から成る四つの部材で構成された長椅子である。しかし、この長椅子は、背当て部と脚部とを腰掛け部に密着するように倒伏して折りたためるが、座板面は複数枚の板を連結したものであるので座り心地はきわめて悪い。また構成的に組み立て及び折りたたみも面倒であるとともに、組み合わせる収納棚は折りたためない上、重量もあるなどの不便や欠点が多い技術である。
【課題を解決するための手段】
【０００６】  本考案は前記するような従来の欠点や不便を解消するために、請求項１においては、折りたたみできる長椅子であって、所定の大きさの座板の長手方向の長さと同じ間隔に軸支柱付き基板二枚を位置し、その基板の軸支柱側下部を所定の長さの支軸棒で、その上中ほどを、前記基板と同じ高さに基軸棒で連結してた前記する左右の基板の軸支柱に背板を取り付けた背枠体を形成し、その背枠体の前記基軸棒に、裏面前端部に係止縁を設けた座板をバネ丁番で連結するとともに、かつ前記する背枠板の左右に収まる長さの支持棒二本と三本の軸棒とで形成する外枠脚に、その外枠脚の軸棒と同じ長さで形成した内枠脚をＸ状に組み合わせた交差部を軸ボルトで可動連結して成る脚体を形成し、その脚体下部に位置して対向する外枠脚と内枠脚の支持棒二本を、複数本の張綱で繋いで成る前記内枠脚下部と前記基板下部を軸ボルトで可動軸止しすることで、折りたたみ及び組み立てが容易な折りたたみ型長椅子とする。【０００７】  請求項２においては、前記する背枠体の支軸棒と基軸棒と背板に、複数本の支柱を取り付けることで、背板に寄り掛っても耐えられる丈夫な折りたたみ型長椅子とする。【０００８】  請求項３においては、前記する二枚の基板の内側上部に、外枠脚のストッパーを取り付けることで、脚体のズレを防止し、かつ安定する折りたたみ型長椅子とする。
【考案の効果】
【０００９】  本考案における折りたたみ型の長椅子は、背板を設けた本格的な椅子であるので安定して腰掛けられるとともに、高齢者などが立ち上がる際に背板を手摺代わりに掴むと立ち上がり易く、うっかり後に倒れる心配が無い長椅子である。【００１０】  また組み立てる時は脚体を引き出してから座板を引き下げるだけでよく、座板の裏面の係止縁が脚体に係合するとともにバネ丁番の押し圧あるので勝手に外れる恐れも無く、さらに脚体下部は強靭な張紐で固定され、かつ外枠体は基板のストッパーで固定されるので確実にして安定した長椅子を形成する。【００１１】  さらに折りたたむ時は、座板を引き上げてから脚体を折たたむと左右の基板の幅程度に狭く折りたためるため、背板付き長椅子であるにも関わらず極めて収納スペースが狭い場所にも収納できるので移動や運搬も容易で、かつ機能的な構成と操作は容易である従来には見られない折りたたみ型の長椅子を提供する。
【図面の簡単な説明】
【００１２】
【図１】本考案による長椅子の実施形態を示す斜視図である。
【図２】本考案による長椅子の実施形態を示す正面図である。
【図３】本考案による長椅子の座板及び脚体を省略した状態の背面図である。
【図４】本考案による長椅子の座板を開放した状態の斜視図である。
【図５】本考案の長椅子の座板を開放した状態の要部を示す拡大図である。
【図６】本考案による背枠体の基板と、脚体の内枠脚の支持棒を可動軸止した状態を示す拡大断面図である。
【図７】本考案の座板と脚体を組み合わせた状態を示す要部拡大断面図である
【図８】本考案による長椅子を、（イ）図の組み立て状態と（ロ）図の折りたたみ状態を示す参考側面図である。
【考案を実施するための形態】
【００１３】  本考案における長椅子の実施形態を、図１に示す斜視図と図２に示す正面図、図４に示す座板を開放した状態の斜視図及び図８に示す組み立て折りたたみ状態を示す参考図と各詳細図で説明する。
【００１４】  本考案における長椅子１の素材は杉木材とし、３人から４人がゆとりを持って座れる長椅子１の所定寸法とする座板２の大きさは、約１，４５０ｍｍ×４００ｍｍで、厚さ約２０ｍｍ〜３０ｍｍ程度とし、その座板２の背部及び側部に位置させた背枠体３の基軸棒４（図３に示す）に座板２をヒンジ連結して開閉自在とする下部に、軸ボルト５でＸ状に形成して折りたためる脚体６の後部を、前記背枠体３左右の基板７の下部の支点穴８に可動軸止することで折りたたみ自在とする長椅子１とする。
【００１５】  以下、図面とともに詳述する。まず、前記する座板２と脚体６は、その側面及び背部に位置する図３に示すような背枠体３（この図は座板及び脚体は省略している）の基板７や基軸棒４にヒンジ連結や可動軸止するので、基本体となる背枠体３から順に説明する。
その背枠体３は、厚さ約３０ｍｍで高さ３７５ｍｍ×１８０ｍｍの板の一方側の５０ｍｍ幅分を、高さ約２２０ｍｍ程度突出させた軸支柱９付き基板７，７二枚を形成し、その二枚で一組とする基板７，７を座板の長手方向の左右と同じ間隔に位置した上で、前記軸支柱９側の下部を長さ約１，３９０ｍｍ×３０ｍｍ角の支軸棒１０で連結し、かつその上部中ほどは、前記基板７の高さと同位置に合わせて前記支軸棒１０と同じ長さの基軸棒４で連結して成る二枚の基板７，７間を３等分割するようにして、長さ約５２７ｍｍほどの二本の支柱１１，１１を縦に取り付けた上端部及び左右基板７に、厚さ３０ｍｍ×１００ｍｍ幅の背板１２を取り付けて成る背枠体３を形成する。
【００１６】  さらに、その背枠体３の前記基軸棒４には、前記する座板２の裏面手前側の縁に約３０ｍｍ角の係止縁１３を取り付けた座板２の奥端部を、３個のバネ丁番１４，１４を用いて上下に開閉できるようにヒンジ連結する。
【００１７】  次に、以上のように取り付けた座板２の下部に取り付ける脚体６を図２と図４〜図６で説明する。前記する背枠体３の内側左右の基板７、７内に収まる約１、３９０ｍｍの長さの角棒二本による支持棒１５，１５と、長さ約４００ｍｍ×３０ｍｍ角の三本の軸棒１６，１６，１６とで成る長方形状の外枠脚１７を形成し、その外枠脚１７の内側に、軸棒１６の長さは前記外枠脚１７と同じであるが、長さは前記外枠脚１７の内側左右に収まる大きさの内枠脚１８を形成し、その内枠脚１８を前記外枠脚１７内にＸ状に組み合わせた各交差部を、軸ボルト５，５で可動連結して成る折りたたみ自在の脚体６を形成するとともに、その脚体６下部の対向する二つの支軸棒１０，１０をパラシュート等に用いられる強靭な張綱１９で複数個所繋いだ脚体６を形成する。尚、前記する脚体６は角材で形成されるが、組み立てる際に手に優しく、かつ床面に設置した時も見栄えも良い物とするために、上下の支持棒１５，１５端部は半円状に加工している。
【００１８】  さらに、以上のように形成した脚体６の前記内枠脚１８の下部は、前記する背枠体３左右の基板７，７下部に設けた支点穴８に合わせて後、図４〜６図に示すようにして軸ボルト５で可動軸止するとともに、その基板７の内側上部に、前記外枠脚１７の係止部材となるリング状のストッパー２０，２０を取り付けて、本考案による折りたたみ型の長椅子１を構成する。尚、前記する脚体６の内枠脚１８下部と基板７の連結は、図６に示すようにネジ込みインサート２１やスペーサーを併用して軸ボルト５で軸止すると、擦り減りによるガタつきを防ぎ、かつ耐久性も高められる。
【００１９】  本考案よる長椅子Ｉは以上のような構成を成すので、座板２は背部と側部に位置する背枠体３の基軸棒４にバネ丁番１４で取り付けるため、手前側は開閉自在となるとともに、閉じた座板２の裏面縁部に脚体６の支持棒１５が係る係止縁１３を設けていることと、前記したバネ丁番１４の押し圧効果により、下部に位置する脚体６の内枠脚１７端部に確実に係合する。また交差する脚体６の下部支持棒１５，１５は、強靭な張綱１９三本で複数個所を繋いでいるので安定した座板２を形成する。
【００２０】  加えて、背枠体３には背板１２を設けているので、腰掛けた際は安心して座れるとともに、その座板２下部に位置する脚体６の内枠脚１８下部は、図１、図４、図７に示すように、左右に位置する基板７，７の下部に軸ボルト５で可動軸止されるため、折りたたむ時は図８の（ロ）図のように座板２を開いてから脚体６を折りたたむと、背枠体３の基板７の幅程度に狭く折りたためられる。また組み立てる時は（イ）図のように脚体６を引き出して後、座板２を閉じることで容易に折りたたみできる長椅子１を形成する。
【００２１】  本考案における折りたたみ型の長椅子１を形成する各部材の寸法は、一つの基準を示すものであり、部材の構成や仕組みが同じであれば他の寸法でもよい。また背枠体３の支柱１１の本数を増やしても差し支えないものであり、いずれも特に限定されるものではない。
【符号の説明】
【００２２】１  長椅子
２  座板
３  背枠体
４  基軸棒
５  軸ボルト
６  脚体
７  基板
８  支点軸
９  軸支柱
１０  支軸棒
１１  支柱
１２  背板
１３  係止縁
１４  バネ丁番
１５  支持棒
１６  軸棒
１７  外枠脚
１８  内枠脚
１９  張綱
２０  ストッパー
２１  ネジ込みインサート
【図１】
0003160015.tif 000003
【図２】
0003160015.tif 000004
【図３】
0003160015.tif 000005
【図４】
0003160015.tif 000006
【図５】
0003160015.tif 000007
【図６】
0003160015.tif 000008
【図７】
0003160015.tif 000009
【図８】
0003160015.tif 000010